(57)【要約】【課題】本考案は、屋内に花粉等を持ち込まないよう、屋内に入る前に、屋外で衣服、人体に付着した花粉等を除去する機能を有し、簡易かつ低コストで設置できる花粉除去室を提供することを目的とするものである。【解決手段】建物の外に設置され、脚によって支持されている床と、前記床から起立し、何れかに人が出入りする扉を設け、対向する外側に左右のフックが取り付けられた壁と、前記壁の上部に設置された天井又は／及び屋根からなる花粉を除去する部屋であって、前記天井又屋根に取り付けられた下降気流を発生するファンと、前記壁の何れかに設けられた部屋内の空気を排出する換気孔と、前記壁の室内側に取り付けられた物干竿と、前記床に置かれた透過部材と、前記床に接続し、部屋内の前記床面に水を供給する給水管、及び前記床に接続し、部屋内の水を屋外に排出する排水管からなることを特徴とする花粉除去室の構成とした。【選択図】図１
0003124928.tif 000002
【実用新案登録請求の範囲】
【請求項１】
建物の外に設置され、脚によって支持されている床と、前記床から起立し人が出入りする扉を設け、対向する外側に左右のフックが取り付けられた壁と、前記壁の上部に設置された天井及び屋根からなる花粉を除去する部屋であって、前記天井又屋根に取り付けられた下降気流を発生するファンと、前記壁の何れかに設けられた部屋内の空気を排出する換気孔と、前記壁の室内側に取り付けられた物干竿と、前記床に置かれた透過部材と、前記床に接続し、部屋内の前記床面に水を供給する給水管及び前記床に接続し、部屋内の水を屋外に排出する排水管からなり、前記ファンからの下降気流によって屋外で人、衣服等に吸着した花粉を前記水に落下させ前記排水管から水とともに室外に排出することを特徴とする花粉除去室。
【請求項２】
床部と、前記床部から起立し、何れか２箇所に人が出入りする扉を設けた壁と、前記壁の上部に設置された天井又は／及び屋根からなる花粉を除去する部屋であって、前記天井又屋根に取り付けられた下降気流を発生するファンと、前記壁の何れかに設けられた部屋内の空気を排出する換気扇と、前記壁の何れかに設けられた屋外の空気を室内に取り込む通気孔と、前記部屋内に除湿器が設置され前記天井又は屋根にダウンライトが取り付けられ、前記壁の部屋側取り付けられた掛け板に載せられ物干竿と、前記床部上面に置かれた透過部材と、前記床部に水を供給する給水管及び前記床部の水を屋外に排出する排水管からなり、前記ファンからの下降気流によって屋外で人、衣服等に吸着した花粉を前記水に落下させ、前記排水管から水とともに室外に排出することを特徴とする花粉除去室。
【考案の詳細な説明】
【技術分野】
【０００１】
本考案は、衣類、携行品、洗濯物、人体に付着した花粉、ほこりなど人の健康に害を及ぼす恐れのある微粒子（以下、花粉等という）を居住空間に持ち込まないよう除去する部屋の構造に関する考案である。
【背景技術】
【０００２】
花粉等を除去する方法として、特許文献１に、部屋の壁面下端部に設けた給気口及び排気口と、前記給気口から前記部屋の室内へ流入する外気中の花粉を除去する花粉除去手段と、前記部屋の室内空気を前記排気口から強制的に排気する排気手段とを備え、前記排気手段の駆動により形成される前記給気口から排気口へ至る空気流を、前記部屋の床面に沿わせるようにしたことを特徴とする建物の花粉排出システムが公開されている。
【特許文献１】特開２００６−０４６６８４号公報
【考案の開示】
【考案が解決しようとする課題】
【０００３】
しかしながら、特許文献１に記載の建物の花粉排出システムは、一旦、居住空間に持ち込まれた花粉を排出するシステムであり、効率よく花粉を除去できるとしても、除去されるまでの間は、人が花粉、ほこりなどに暴露されていることになる。また、一旦屋内に持ち込まれた花粉は、屋内のあちらこちらに飛散し、一箇所に留まらない。さらに、飛散した花粉を掃除によって取り除くことは容易でない。
【０００４】
他方、屋内に花粉等を持ち込まないよう、屋外で花粉等を除去する装置などは知られていない。
【０００５】
そこで、本考案は、屋内に花粉等を持ち込まないよう、屋内に入る前に、屋外で衣服、人体に付着した花粉等を除去する機能を有し、簡易かつ低コストで設置できる花粉除去室を提供することを目的とするものである。
【課題を解決するための手段】
【０００６】
本考案は、上記の課題を解決するために、建物の外に設置され、脚２ａ、２ｂ、２ｃ、２ｄによって支持されている床２と、前記床２から起立し、人が出入りする扉５を設け対向する外側に左右のフック９、９ａを取り付けた複数の壁３、３ａ、３ｂ、３ｃと、前記壁３、３ａ、３ｂ、３ｃの上部に設置した天井１８ａ及び屋根４からなる花粉等を除去する部屋で、前記天井又屋根４に取り付けられた下降気流を発生するファン６と、前記複数の壁３、３ａ、３ｂ、３ｃの何れかに設けた部屋内の空気を排出する換気孔８と、前記壁の室内側に取り付けた物干竿１０と、前記床２に置かれた透過部材１１と、前記床２に接続し、部屋内の前記床２に水を供給する給水管１２及び前記床２に接続し、前記床２上の水１４を屋外に排出する排水管１３とからなることを特徴とする花粉除去室１の構成、床部１６と、前記床部１６から起立し何れかに２箇所に人が出入りする扉１９、１９ａを設けた複数の壁１７と、前記壁１７の上部に設置された天井１８ａ及び屋根１８からなる花粉等を除去する部屋であって、前記天井１８ａ又屋根１８に取り付けられた下降気流を発生するファン２４と、前記壁１７の何れかに設けられた部屋内の空気を排出する換気扇２１と、前記壁１７の何れかに設けられた屋外の空気を室内に取り込む通気孔２２と、前記部屋内に除湿器２３が設置され、前記天井１８ａ又は屋根１８にダウンライト２０、２０ａが取り付けられ、前記壁１７の室内側に渡された物干竿２６と、前記床部１６上面に置かれた透過部材２７と、前記床部１６に水３０を供給する給水管２８及び前記床部１６の水３０を屋外に排出する排水管２９からなる花粉除去室１ａの構成とした。
【考案の効果】
【０００７】
本考案は、以上の構成であるから以下の効果が得られる。第１に、屋内に入る前に屋外で花粉等を除去することができるため、屋内に花粉等を持ち込まなくなり、屋内に花粉等を飛散させることがないから、室内に空気清浄機を設置しなくてもよい。
【０００８】
さらに、下降気流によって、花粉等を水に吸着させ、その水とともに花粉等を排水することから、空気清浄機のように定期的にフィルターの交換、掃除を必要としないため便利である。また、簡易な構造であるので、短期間で、コストも係らず簡単に組み立てられることができる。
【０００９】
第２に、脚によって、支持されていることから、床の高さを調節でき、あらゆる玄関、家のドアの高さに合わせることができるので、既存の家屋に連結しても、除去室内を通過して、スムーズに住宅に出入りできる。
【００１０】
第３に、扉を２つ取り付けることにより、家の出入り通路に花粉除去室を設置し、常に家屋の出入り時に花粉除去室をスムーズに通過できるので、面倒がなく、花粉等の除去をし忘れることがない。
【００１１】
第４に、対抗する壁の外側にフックを取り付けたことにより、組み立てられた花粉除去室をクレーンなどで吊り上げ、組み立てられたまま移動することが容易にできる。
【００１２】
第５に、家の構造の一部として花粉除去室を設置することもできるので、家の出入り時の花粉除去だけでなく、洗濯物を干すこともでき、洗濯物に花粉等を付着させることなく、洗濯物を乾燥させることができる。
【００１３】
第６に、花粉除去室内に除湿器を設置することにより、床面に貯められた水が蒸散しても、花粉除去室内の湿度が高くなることがないため、洗濯物の乾燥時間が長くなることがない。
【００１４】
第７に、花粉除去室内に暖房器具（ダウンライトなど）を設置することにより、冬季であっても、屋外の花粉除去室に、洗濯物を干しても、洗濯物が凍結することがなく、乾かすことができる。
【考案を実施するための最良の形態】
【００１５】
衣服、人体に付着した花粉等を屋内に持ち込ませないという目的を、下降気流によって、衣服、人体から花粉等を吹き飛ばし、床面に貯水された水に吸着させ、貯水の排水とともに、排水させることで実現した。
【実施例１】
【００１６】
以下に添付図面に基づき、本考案である花粉除去室について詳細に説明する。図１は、本考案である花粉除去室の一例の一部破断透視模式斜視図である。
【００１７】
本考案である花粉除去室１は、建物の外に設置され、脚２ａ、２ｂ、２ｃ、２ｄによって支持されている床２と、前記床２から起立し、何れかに人が出入りする取手５ａ付き扉５を設け対向する外側に左右のフック９、９ａが取り付けられた複数の壁３、３ａ、３ｂ、３ｃと、前記壁の上部に設置された天井又は／及び屋根４からなる花粉等を除去する部屋であって、前記天井又屋根４に取り付けられた下降気流を発生するファン６と、前記壁の何れかに設けられた部屋内の空気を排出する換気孔８と、前記壁の室内側に取り付けられた物干竿１０と、前記床２に置かれた透過部材１１と、前記床２に接続し、部屋内の前記床２に水を供給する給水管１２、及び前記床２に接続し、前記床２上の水１４を屋外に排出する排水管１３からなる。
【００１８】
居住空間に入る前に、本考案である花粉除去室１に一旦入室することにより、前記ファン６からの下降気流によって、屋外で人体、衣服等に吸着した花粉等を前記水１４に落下させ、花粉等を前記排水管１３から水１４とともに室外に排出し、居住空間に花粉等を持ち込むことを防止することができる。
【００１９】
花粉除去室１は、部屋内に人が入る空間を有すれば、特に図１の形状（四角形）に限定されることはない。ファン６は、下降気流を発生させることができれば、羽根を回転させるもの、コンプレッサーで強制的に吹き出すもの等など使用でき、特に限定されない。ファン６としては、市場で（株）山善社製、品番ＣＳ１−Ａ２０などが購入できる。なお、天井の点検口に取り付けるとよい。ファン６の配線を容易に天井裏に引き込むことができること、ファン６が故障した場合に、天井の点検口を開放し、容易に修理、交換ができるためである。
【００２０】
換気孔８は、内部の湿気を外に逃がす機能を有する。直径５〜１０ｃｍ程度の穴で、未使用は、花粉が侵入しないように、蓋で閉じられるような構造が望ましい。例えば、（株）エース企画社製、品番ＧＮ１００ｓ−ＨＬなどがある。
【００２１】
物干竿１０、１０ａは、花粉等を除去している間、衣類を掛けておくことができる竿である。ポール形状な物干竿、長さを調整できる市販の突っ張り棒タイプの物干竿１０、１０ａなどが使用できる。ポール形状な物干竿は対向する壁３ａ、３ｄの桟などに掛ければよい。
【００２２】
また、ハンガー１０ｂなどを用いて、洗濯物を物干竿１０に掛けて、花粉除去室１で乾燥させてもよい。尚、花粉の飛散開始から花粉の飛散が完全に終る時期までは、特に花粉症の重い人は、室内に洗濯物を干さなければならない。
【００２３】
しかし、洗濯物を室内に干すと、室内に湿気がたまり、洗濯物に臭いがつき問題である。したがって、室内で洗濯物を干す場合は、室内の湿度を保つ為に、エアーコンプレッサー、乾燥機など大型の電気機器を運転しなければならず、極めて経済的でなかった。
【００２４】
本考案によれば、花粉飛散時期の洗濯物の乾燥であっても、花粉を洗濯物に付着させることなく、且つ経済的にすることができるようになる。
【００２５】
透過部材１１は、板状又はシート状で、無数の、隙間、孔があり、花粉等を透過させる部材である。具体的には、スノコ、人工芝などが挙げられる。また、スノコ上に人工芝を載せてもよい。透過部材１１が人工芝であれば、通常人工芝の底には、１から２ｃｍ程度の突起（脚）があるため、貯められた水３０に人工芝が浸ることもない。
【００２６】
給水管１２は、水道水などに連結し、花粉除去室１内に水１４を送水する管である。常時少量の水１４を花粉除去室１内に送水してもよいし、定期的に送水し、床２に溜まった水１４の全量を排水管１３から屋外に排出し、置換してもよい。排水管１３は、給水管１２から送水された水１４の量だけ、ドレインする管である。
【００２７】
花粉除去室１の内部に貯められる水１４によって、人体、衣服等から落下した花粉等を吸着させ、飛散させることがない。水１４の深さは、約１〜２ｃｍ以上あれば十分である。貯められる水１４の深さは、給水管１２の先端と、排水管１３の先端の高さによって、容易に維持し、任意に変更することができる。
【００２８】
この貯められた水１４に、下降気流によって、衣類、人体から吹き飛ばされ、落下した花粉等が吸着され、排水とともに排水管１３から外部に排出されることにより、衣類、人体から花粉等を居住空間に入る前に取り除くことができる。
【００２９】
脚２ａ、２ｂ、２ｃ、２ｄは、高さを調節することができるものが望ましい。例えば、（株）大倉工業製、品番ＫＳ−ＴＬ１１Ｓ１などが使用できる。
【００３０】
これにより、床２の高さを調整し、あらゆる高さの家屋、建物に床２の高さを合わせられ、家屋、建物に接続して設置しても、スムーズに建物、家屋と花粉除去室１を行き来することが可能になる。
【００３１】
また、対向する壁３ａ、３ｄの外側に左右のフック９、９ａを埋め込むことにより、花粉除去室１を組み立てたままでクレーなどで移動させることもできる。これにより、容易に設置場所を移動でき、経済的である。なお、フック９、９ａを埋め込む壁の素材は、クレーンで花粉除去室１を持ち上げることに耐える材質であれば特に限定しない。
【００３２】
さらに、対向する壁３、３ｃに扉を設けてもよい。家屋の玄関に通じる通路に、花粉除去室１を設置することで、家屋の出入り時に必ず花粉除去室１を通過するようすることができ、便利である。また、外部の者が、家屋に持ち込む花粉等をも防ぐこともできる。
【実施例２】
【００３３】
図２は、本稿案である他の花粉除去室の模式断面図である。本考案である他の花粉除去室１ａは、床部１６と、前記床部１６から起立し、何れかに２箇所に人が出入りする扉１９、１９ａを設けた複数の壁１７と、前記壁１７の上部に設置された天井１８ａ又は／及び屋根１８からなる花粉等を除去する部屋であって、前記天井１８ａ又屋根１８に取り付けられた下降気流を発生するファン２４と、前記壁１７の何れかに設けられた部屋内の空気を排出する換気扇２１と、前記壁１７の何れかに設けられた屋外の空気を室内に取り込む通気孔２２と、前記部屋内に除湿器２３が設置され、前記天井１８ａ又は屋根１８にダウンライト２０、２０ａが取り付けられ、前記壁１７の室内側に渡された物干竿２６と、前記床部１６上面に置かれた透過部材２７と、前記床部１６に水３０を供給する給水管２８、及び前記床部１６の水３０を屋外に排出する排水管２９からなる。
【００３４】
前記ファン２４からの下降気流によって屋外で人体、衣服等に吸着した花粉等を前記水３０に落下させ、前記排水管２９から水３０とともに花粉等を室外に排出し、居住空間に花粉等を持ち込むことを防止することができる。実施例１の花粉除去室１は仮設置、時折移動する場合に向いているのに対して、実施例２の花粉除去室１ａは、所定の場所、地面１５に建設する場合に向く。
【００３５】
本考案の他の例である花粉除去室１ａにおいて、部屋の形状、壁１７、ファン２４、扉１９、１９ａ、透過部材２７、給水管２８、排水管２９については、実施例１で説明した、壁、ファン６、扉５、物干竿１０、透過部材１１、給水管１２、排水管１３と同様である。
【００３６】
床部１６は、室内に水３０を貯留させるため、防水機能を有した床である。ここでは、地面１５に打設したコンクリート１６ａと、コンクリート１６ａ上部を覆う防水材１６ｂからなる床部１６について説明する。
【００３７】
防水材１６ｂは、防水シート、防水塗料などがあり、コンクリート１６ａに水３０が染みこみ、漏れることを防止する。
【００３８】
換気扇２１は、室内の湿度を屋外に排出する。花粉除去室１で、洗濯物も乾燥させようとした場合、底部には水３０があり、洗濯物の水分も蒸散することがら、乾燥を遅延、洗濯物にカビ臭などがつかないように、内部空気を花粉除去室１ａ外に排出する。
【００３９】
このとき、僅かに外部空気を取り込むことで、内部の湿度を効率的に外部に排出することができる。そのため壁１７に通気孔２２を設ける。
【００４０】
物干竿２６は、ポール状であり、両端に突っ張り構造がない。そこで、壁１７に板などを固定し、その上に物干竿２６をのせることで、洗濯物などを掛けることができる。
【００４１】
左右の掛け板２５、２５は、同一形状であり、対向する壁１７の室内側に取り付けられ、物干竿２６を掛ける部材である。取り付けは、釘、ネジ、ボルト、接着材などで行い、物干竿２６に洗濯物を掛けても外れない手段により行う。取り付け位置を容易に移動できるネジ、ボルトが特に望ましい。
【００４２】
除湿器２３は、高湿度になることを防止するために設置し、運転する。例えば、（株）コロナ社製、品番ＣＤ−Ｐ１６３３−ＡＰなどが利用できる。暖房器具は、寒冷地では、冬季に洗濯物が凍結することがあるため、凍結防止の為に設置し、ダウンライト２０、２０ａなどの発熱するものでよい。例えば、松下電気工業（株）、品番ＮＬ７８８５７Ｂ、ＮＬ７８８８７Ｗなどが利用できる。
【００４３】
ファン２４、換気扇２１、除湿器２３、暖房器具（ダウンライト２０、２０ａ）など僅かに電力を消費する家電製品を運転するが、エアーコンプレッサー、乾燥機などの大型電気製品の消費する電力に比べ極僅かである。
【００４４】
図３は、掛け板の透視斜視図である。掛け板２５は、木製の角材の一面に複数の窪んだ凹部２５ａが設けられている。掛け板２５を対向する壁１７の室内側に、凹部２５ａの位置が左右の掛け板２５で一致するように取り付ける。
【００４５】
対向する位置の凹部２５ａに物干竿２６を掛けことで、ポール状の物干竿２６であっても使用することができ、所定の位置（凹部２５ａ）に留めることができる。また、掛け板２５には、複数の凹部２５ａが設けられていることから、複数の物干竿２６を用いることができ、洗濯物の大きさ、量によって、物干竿２６の掛ける位置、間隔を容易に変更することができる。
【図面の簡単な説明】
【００４６】
【図１】本考案である花粉除去室の一例の一部破断透視模式斜視図である。
【図２】本考案である他の花粉除去室の模式断面図である。
【図３】掛け板の透視斜視図である。
【符号の説明】
【００４７】
１      花粉除去室
１ａ    花粉除去室
２      床
２ａ    脚
２ｂ    脚
２ｃ    脚
２ｄ    脚
３      壁
３ａ    壁
３ｂ    壁
３ｃ    壁
４      屋根
５      扉
５ａ    取手
６      ファン
８      換気孔
９      フック
９ａ    フック
１０    物干竿
１０ａ  物干竿
１０ｂ  ハンガー
１１    透過部材
１２    給水管
１３    排水管
１４    水
１５    地面
１６    床部
１６ａ  コンクリート
１６ｂ  防水材
１７    壁
１８    屋根
１８ａ  天井
１９    扉
１９ａ  扉
２０    ダウンライト
２０ａ  ダウンライト
２１    換気扇
２２    通気孔
２３    除湿器
２４    ファン
２５    掛け板
２５ａ  凹部
２６    物干竿
２７    透過部材
２８    給水管
２９    排水管
３０    水
【図１】
0003124928.tif 000003
【図２】
0003124928.tif 000004
【図３】
0003124928.tif 000005